【事件の表示】
　特許第３１５９６９０号「還流式及び吸込式掃除機」の請求項１に係る特許に対する特許異議の申立てについて、次のとおり決定する。
【結　論】
　訂正を認める。
　特許第３１５９６９０号の請求項１に係る特許を取り消す。
【理　由】
１．手続きの経緯
　特許第３１５９６９０号の請求項１に係る発明についての出願は、平成７年４月７日に特許出願した特願平７−８２７９９号の一部を平成１１年１２月２２日に新たな出願としたものであり、平成１３年２月１６日にその発明について特許権の設定登録がなされた後、その特許について、特許異議申立人　株式会社日立製作所より特許異議の申立てがなされ、取消しの理由が通知され、その指定期間内である平成１４年３月２６日に訂正請求がされたものである。
　　
２．訂正の適否についての判断
（１）訂正の内容
ア．訂正事項ａ
「還流式及び吸込式掃除機」とある発明の名称を、「還流式
又は
　
イ．訂正事項ｂ
「吸引するゴミを集積するフィルタ室に集積したゴミを除去するための前記フィルタ室全体を覆う開閉又は取外し可能な蓋が設けられ、次の何れかの構成を有することを特徴とする還流式及び吸込式掃除機。
ａ．前記蓋が透明、半透明，又はハーフミラーの何れかとされている。
ｂ．前記蓋が透明、半透明，又はハーフミラーの何れかとされており、フィルタ室に照明が設けられている。」とある特許請求の範囲の請求項１の記載を、
「
フィルタとファンモータとを有する主体に上下傾動可能にハンドルが結合され、ファンモータがフィルタを通過した気流を吸込む電気掃除機において、
の略
前記主体の外筐上面に
又は
ａ．前記蓋が透明、半透明
、
ｂ．前記蓋が透明、半透明
、
　
ウ．訂正事項ｃ
「吸引するゴミを集積するフィルタ室に開閉又は取外し可能な蓋が設けられ、該蓋が透明，半透明，又はハーフミラーの何れかとされ、前記フィルタ室に照明が設けられ、且つ，次の何れかの構成を有することを特徴とする還流式及び掃除機。
（イ）手動スイッチで前記照明がＯＮ／ＯＦＦされる。
（ロ）前記掃除機のファンモータのＯＮ及び／又はＯＦＦ時、予め定められた時間長だけ前記照明が点灯される。
（ハ）前記掃除機のファンモータ作動中、又は前記掃除機の電源コードが電源に接続中に前記照明が点灯される。
（ニ）前記照明はフィルタ外部又はフィルタ内部を照明する。」とある特許請求の範囲の請求項２の記載を、
「吸引するゴミを集積するフィルタ室に開閉又は取外し可能な蓋が設けられ、該蓋が透明
、
、
、
（イ）手動スイッチで前記照明がＯＮ／ＯＦＦされる。
（ロ）前記掃除機のファンモータのＯＮ及び／又はＯＦＦ時、予め定められた時間長だけ前記照明が点灯される。
（ハ）前記掃除機のファンモータ作動中、又は前記掃除機の電源コードが電源に接続中に前記照明が点灯される。
（ニ）前記照明はフィルタ外部又はフィルタ内部を照明する。」と訂正する。
　　
エ．訂正事項ｄ
明細書の段落【０００１】の記載について、「【産業上の利用分野】本発明は還流式及び吸込式電気掃除機の分野に属する。」とあるのを、
「【産業上の利用分野】本発明は還流式
又は
　　
オ．訂正事項ｅ
明細書の段落【０００７】の記載について、「【課題を解決するための手段】前記課題を解決するため、本発明の還流式及び吸込式掃除機は、吸引するゴミを集積するフィルタ室に集積したゴミを除去するための前記フィルタ室全体を覆う開閉又は取外し可能な蓋が設けられ、次のａ又はｂの何れか、すなわち、ａ．前記蓋が透明、半透明，又はハーフミラーの何れかとされている、又は、ｂ．前記蓋が透明、半透明，又はハーフミラーの何れかとされており、フィルタ室に照明が設けられている、の何れかの構成を有することを特徴とする。」とあるのを、
「【課題を解決するための手段】前記課題を解決するため、本発明の還流式
又は
フィルタとファンモータとを有する主体に上下傾動可能にハンドルが結合され、ファンモータがフィルタを通過した気流を吸込む電気掃除機において、
の略
前記主体の外筐上面に
、
、
　　
カ．訂正事項ｆ
明細書の段落【００１５】の記載について、「吸込口からゴミがこぼれにくになっている。」とあるのを、
「吸込口からゴミがこぼれにく
く
　　
キ．訂正事項ｇ
明細書の段落【００２１】の記載について、「又、上記の実施の形態はクロール型（Ｅ）の掃除機について述べたが、これに限らず、他のキャニスタ型（Ａ）、ポット型（Ｂ）、アプライト型（Ｃ）、スティック型（Ｄ）、ロボット型（Ｆ）、ハンディ型（Ｇ）などにも適用できるものである。」とあるのを、
「又、上記の実施の形態はクロール型（
図３
請求項２に係る発明は、
図３
図３
図３
図３
図３
図３
　　
（２）訂正の目的の適否、新規事項の有無及び拡張・変更の存否
　訂正事項ａ、ｂ、ｄのうち、「還流式及び吸込式」を「還流式又は吸込式」と訂正した点は、特許明細書の段落【００２１】における「以上、本発明の実施の形態について、還流式掃除機を一例として説明してきたが、吸込式掃除機の場合は、還流気管と還流噴出口を除去して、ファンモータの排気口を主体に設ければよく、本発明と容易に適用することができる。」との記載により、本発明の掃除機の形式として「還流式」と「吸込式」とが選択的となっていることが明らかであるから、誤記の訂正を目的とするものにあたる。しかも、上記訂正事項は、上述のとおり段落【００２１】に開示されているから、新規事項の追加に該当せず、実質上特許請求の範囲を拡張又は変更するものではない。
　訂正事項ｂのうち、「フィルタとファンモータとを有する主体に上下傾動可能にハンドルが結合され、ファンモータがフィルタを通過した気流を吸込む電気掃除機」、「前記主体の外筐体上面に」と訂正した点は、訂正前の「掃除機」の基本構造及び「蓋」の取り付け位置を技術的に限定したものであるから、特許請求の範囲の減縮を目的としている。しかも、これらの訂正は、明細書の段落【００１１】における「２は主体で、内部にフィルタ２−１、ファンモータ２−２を有し」との記載、段落【００１２】の「図１において、６，７は主体２とハンドル８の結合部である。６は主体に接続され、７と傾動軸Ｙ２を共有し、７と８とが軸Ｙ２の廻りに上下に傾動される。」との記載、段落【００１５】における「２０は主体２の外筐上面に設けられたフィルタ交換用の開閉又は取外し可能な蓋である。」との記載、さらに、図１、図２Ａ及び図２Ｂにおいて、フィルタ２−１を通過した気流がファンモータ２−２へ吸込まれる矢印が記載されている点、を根拠とするものであるから、新規事項の追加に該当せず、実質上特許請求の範囲を拡張又は変更するものとも認められない。
　訂正事項ｂのうち、「フィルタ室の全体を覆う」との記載を「フィルタ室の略全体を覆う」と訂正した点は、図２Ａ及び図２Ｂから、１点鎖線で示されたフィルタ２−１の位置と実線で示された蓋２０の位置とが平面視で整合しておらず、蓋２０は、フィルタ２−１の略全体を覆うものであることが看取できるから、明りょうでない記載の釈明にあたる。しかも、新規事項の追加に該当せず、実質上特許請求の範囲を拡張又は変更するものではない。
　訂正事項ｂ、ｃのうち、読点を「，」から「、」に訂正した点、更に訂正事項ｆにおいて、「こぼれにくに」を「こぼれにくく」と訂正した点は、誤記の訂正にあたるとともに、新規事項の追加に該当せず、実質上特許請求の範囲を拡張又は変更するものではない。
　訂正事項ｅ、ｇは、訂正事項ｂと整合を図るものであるので、明りょうでない記載の釈明にあたる。しかも新規事項の追加に該当せず、実質上特許請求の範囲を拡張又は変更するものではない。
　
（３）独立特許要件について
　上記訂正事項ｃは、特許異議の申立てがされていない、特許請求の範囲の請求項２に関するものであるので、以下、独立特許要件について判断する。　この訂正は、上記のとおり誤記の訂正を目的とするものである。しかも、単なる読点についての誤記の訂正であることから、当該訂正後における特許請求の範囲の請求項２に記載されている事項により特定される発明に対し、特許出願の際独立して特許を受けることができないとする理由は見出せない。
　
（４）むすび
　以上によれば、上記訂正事項ａ乃至ｇは、特許法第１２０条の４第２項及び同条第3項で準用する同法第１２６条第2項乃至第４項の規定に適合するので、当該訂正を認める。
　
３．特許異議の申立てについての判断
（１）請求項１に係る発明（以下、「本件発明」という。）について
　上記２．で示したように上記訂正は認められるから、本件発明は、上記訂正に係る訂正明細書の特許請求の範囲の請求項１に記載された事項により特定されるとおりのものである。（上記２．（１）イ．訂正事項ｂ参照）
　
（２）引用刊行物に記載された発明
　当審が平成１４年１月２５日付で通知した取消しの理由において引用した刊行物のうち、刊行物２（特開平１−２０７０２５号公報）には、図面とともに次の事項が記載されている。
ｉ）「本発明は吸込口本体に電動送風機や収塵部を配設した、いわゆるスイーパー形の電気掃除機に関するものである。」（第１頁右欄第7行乃至第9行）
ｉｉ）「１は吸込口本体で、下面部には吸込口・・・が設けられており、内部には吸込力を発生させる電動送風機２や収塵部である紙袋３などが収納され、前記紙袋３については開閉蓋４を開くことにより吸込口本体１に着脱自在となっている。」（第１頁右欄第１３行乃至第１８行）
ｉｉｉ）「この問題を解決するために本発明は、下端に吸込口が形成された吸込口本体に吸引力を発生させる電動送風機と電源コード巻き取り用のコードリールを内蔵するとともにごみを集める収塵部を備え、前記吸込口本体に棒状で中空のハンドルを接続して設けるとともにこのハンドルの先端に中空の取手を設け・・・」（第2頁右上欄第１７行乃至左下欄第3行）
ｉｖ）「・・・１１は吸込口本体で、上部本体１２と下部本体１３とで形成されている。前記下部本体１３の下端前側部には吸込み口１４が形成されている。」（第3頁左上欄第５行乃至第１０行）
ｖ）「吸込口本体１１の内部においてコードリール１５の一側方に電動送風機１９が設けられているのに対し、コードリール１５の他側方に収塵部２４が形成されており、この収塵部２４には紙袋２５が収納されている。２６は収塵部２４とコードリール１５との間に介在された通気性のフィルターで、通気孔２７を有するフィルター支え２８で保持されている。・・・３２は吸込口本体１１に下端の回動軸３３を中心に回動自在に設けられた棒状のハンドルで、中空状になっており、この中を電源コード２１が通っている。・・・３７は前記収塵部２４の上部において上部本体１２に着脱自在に設けられた開閉蓋である。３８は下部本体１３の後端に設けた車輪・・・である。」（第３頁右上欄第３行乃至左下欄第４行）
ｖｉ）「次に、電源をスイッチ釦５０を押してオンすると、電動送風機１９が回転し吸引が始まる。これにより吸込口１４から流入する気流は・・・フィルター２６・・・を通り、さらに・・・電動送風機１９に流入し、排気口５１より外部に排出される。」（第3頁右下欄第13行乃至第１９行）
ｖｉｉ）第3図によれば、「開閉蓋３７」は、「吸込口本体１１」の外筐上面に設けられているものと看取できる。
ｖｉｉｉ）上記ｖ）における「下端の回動軸３３を中心に回動自在に設けられた棒状のハンドル」との記載は、第１図及び第２図を参酌すれば、「上下傾動可能にハンドルが結合され」ていることと等価である。
　
　したがって、刊行物２には、上記記載事項及び図面の図示内容等からみて、
「フィルタと電動送風機とを有する吸込口本体に上下傾動可能にハンドルが結合され、電動送風機がフィルタを通過した気流を吸込む電気掃除機において、ごみを集める収塵部に集積したごみを除去するための着脱自在な開閉蓋を吸込口本体の外筐上面に設けられたスイーパー形の電気掃除機」（以下、「引用発明１」という。）が記載されていると認めることができる。
　
　さらに、同刊行物１１（実願昭６２−１４５４５１号（実開昭６４−５０７５７号）のマイクロフィルム）には、図面とともに次の事項が記載されている。
ｉ）「本考案は、吸風口から地上の塵埃を吸引する吸風機の吐出口に連通して、吐出口から送られる塵埃を収容するための収塵容器に係るものである」（第１頁第１５行乃至第１７行）
ｉｉ）「本考案は、吸風口から塵埃を吸引する吸風機の吐出口に連通する収塵容器において、側壁を通気性材料で形成された室の上面を非通気性の透明材料で形成するとともに、前記通気性材料で形成された側壁の外方に間隙部を介して外壁を設け、前記間隙部を外部に連通して設けたものである。すなわち、吸風機の吸風口から吸引された塵埃は、吐出口から収塵容器の室内に入り、空気は室の通気性の側壁で濾過されて間隙部から大気に排出され、塵埃は室内に集塵されるものである。作業者は室の上面の透明材料を通して室内の塵埃の量を目視するものである。」（第2頁第7行乃至第１８行）
ｉｉｉ）「吸風機１に固着する操向用のハンドル１３には、収塵容器１５が掛具１７によって吊り下げられている。収塵容器１５はつぎのように構成されている。すなわち、吸風機１の吐出口１９に着脱自在に連通する室２１は底面２３、側壁２５を布等の通気性材料で形成され、上面壁２７はビニール等の透明材料でファスナー２８により開閉自在に形成されている。室２１の側壁２５および底面２３の外方には間隙部２９を介して布等の通気性の外壁３１が設けられ、間隙部２９は外壁３１の布目を通じて外気に連通している。以上の構成において、エンジン５の駆動で吸引ファン７が回転すると、地上の塵埃は吸塵口１１から吸風口９に吸引され、吐出口１９から室２１内に入り、空気は室２１の底面２３、側壁２５の布目を通って間隙部２９内に入り、さらに外壁３１の布目を通って外部に排出される。塵埃は室２１内に集塵されるものである。内部の塵埃は作業中に透明な上面壁２７を通じて目視によって収集量を確認することができ、必要に応じて上面壁２７を開いて塵埃を排出するものである。」　（第3頁第８行乃至第４頁第８行）
　
（３）対比・判断
　そこで、本件発明と引用発明１とを対比する。まず、引用発明１の「電動送風機」、「吸込口本体」、「収塵部」、「スイーパー形の電気掃除機」、「開閉蓋」は、それぞれ本件発明の「ファンモータ」、「主体」、「フィルタ室」、「吸込式掃除機」、「開閉可能な蓋」に相当する。
　したがって、両者は、「フィルタとファンモータとを有する主体に上下傾動可能にハンドルが結合され、ファンモータがフィルタを通過した気流を吸込む電気掃除機において、吸引するゴミを集積するフィルタ室に集積したゴミを除去するための開閉可能な蓋が前記主体の外筐上面に設けられた吸込式掃除機」である点で一致し、以下の点で相違する
　（ａ）本件発明の「蓋」は「フィルタ室の略全体を覆う」のに対し、引用発明１ではかかる構成が明らかではない点、
　（ｂ）本件発明では、「蓋」が透明、半透明、又はハーフミラーの何れかとされているか、フィルタ室に照明が設けられた上で、蓋が透明、半透明、又はハーフミラーの何れかとされているのに対し、引用発明１ではかかる構成が明らかではない点。
　
　相違点（ａ）について
　引用発明１では、フィルタ室において、紙袋２５内に集積されたごみを除去するためにそのフィルタ室の上部に開閉蓋を設けたのであるから、その蓋の大きさは、紙袋２５の脱着を考慮するとフィルタ室の略全体を覆うものとみるのが妥当であるし、そもそも蓋の大きさは、ごみを除去する際の便宜やデザイン等を考慮して、当業者であれば適宜選択し得る設計事項にすぎない。したがって、「蓋」をフィルタ室の略全体を覆うようにすることは、当業者が適宜なし得た設計的事項にすぎず、また、この構成を採用することに格別の困難性を見出せない。
　
　相違点（ｂ）について
　刊行物１１に記載された発明（以下、「引用発明２」という。）は、「吸風口から塵埃を吸引する吸風機の吐出口に連通する収塵容器」であることから、「吸込式掃除機」に相当する。さらに、「布等の通気性材料」で形成された「側壁２５」は「フィルター」に相当し、「上面壁２７」は、上記「側壁２５」からなる「室２１」の上面に設けられると共に、透明体で構成されている。したがって、引用発明２は、相違点（ｂ）のうち、蓋を「透明」とした構成を具備するものと認められる。
　そして、引用発明１と引用発明２は、同一の吸込式掃除機を技術分野とするものであるから、引用発明１の「蓋」を、引用発明２のように「透明」とすることは、当業者であれば容易になし得たことである。
　
　さらに、相違点（ａ）及び（ｂ）の両者を加味しても、引用発明１の「吸込式掃除機」に引用発明２の「透明な蓋」を組み合わせて、本件発明のように構成することは、当業者であれば、容易になし得ることであり、本件発明が奏する作用及び効果も、引用発明１乃至２から当業者であれば当然想到しうる程度であって、格別なものとは認めることができない。
　
４．むすび
　以上のとおり、本件発明は、上記刊行物２及び刊行物１１に記載された発明に基いて当業者が容易に発明をすることができたものであるから、本件発明についての特許は特許法第２９条第2項の規定に違反してされたものであり、同法第１１３条第２号の規定に該当し、取り消されるべきものである。
　
　よって、結論のとおり決定する。
【異議決定日】
平成１４年５月９日（２００２．５．９）
【訂正の要旨】
　審決（決定）の【理由】欄参照。
（５４）【発明の名称】
還流式
又は
（５７）【特許請求の範囲】
　【請求項１】
フィルタとファンモータとを有する主体に上下傾動可能にハンドルが結合され、ファンモータがフィルタを通過した気流を吸込む電気掃除機において
の略
前記主体の外筺上面に
又は
ａ．前記蓋が透明、半透明
、
ｂ．前記蓋が透明、半透明
、
　【請求項２】吸引するゴミを集積するフィルタ室に開閉又は取外し可能な蓋が設けられ
、
、
、
、
又は
（イ）手動スイッチで前記照明がＯＮ／ＯＦＦされる。
（ロ）前記掃除機のファンモータのＯＮ及び／又はＯＦＦ時、予め定められた時間長だけ前記照明が点灯される。
（ハ）前記掃除機のファンモータ作動中、又は前記掃除機の電源コードが電源に接続中に前記照明が点灯される。
（ニ）前記照明はフィルタ外部又はフィルタ内部を照明する。
【発明の詳細な説明】
　【０００１】
　【産業上の利用分野】
　本発明は還流式
又は
　【０００２】
　【従来の技術】
　従来の電気掃除機の例を図３に示す。従来の電気掃除機には、掃除口部とフィルタ・ファンモータより成る主体とを可曲吸引管で接続するキャニスタ型（Ａ）又はポット型（Ｂ）の如く、掃除口と主体とが分離された二体分離型と、掃除口部は床面に接する様に配置し、主体はハンドルと共にほぼ直列に構成され、短い吸気管、還流管で一体的に可動的に掃除口部に結合されるアプライト型（Ｃ）、スティック型（Ｄ）がある。アプライト型は主体が下方にハンドルが上方に配され、スティック型は吸気管をかねるハンドル部が下に、主体が上に配置され、更にその上に把手が配置されている。
　【０００３】
　車輪を有する主体（フィルタとファンモータを含む）に掃除口部をほとんど直結したクロール型のものが本発明者により特開平３‐１６２８１４号に発表されているが、掃除口部の幅方向（Ｙ方向）に対し主体は長くファンモータの長軸はＹ方向と直交する方向（Ｘ方向）に配置されている（Ｅ）。
　【０００４】
　ロボット型自走式のものではポット型に掃除口部をほとんど直結した構造である（Ｆ）。又、小電力で掃除口部と主体とを直結した小型軽量のハンディ型（Ｇ）がある。
　【０００５】
　在来の掃除機ではフィルタへのゴミ集積度を示すために、通常フィルタ前後の圧力差で作動する表示器（ゴミサイン）を用いている。しかし、その作動は不明確で、フィルタが満杯となりゴミを除去すべき時点又はフィルタ交換時点を正しく示すものとなっていない。圧力差で動くピストンの摩擦が大きいためと推定される。
　【０００６】
　前記課題に鑑みて、本発明は、フィルタのゴミ集積度を正しく知ることができる還流式
又は
　【０００７】
　前記課題を解決するため、本発明の還流式
又は
フィルタとファンモータとを有する主体に上下傾動可能にハンドルが結合され、ファンモータがフィルタを通過した気流を吸込む電気掃除機において
の略
前記主体の外筺上面に
、
、
　【０００８】
　本発明によれば、フィルタ室に透明の蓋が設けられた場合には、フィルタのゴミ集積度を目視することができるので、フィルタの交換時点やゴミ除去時点を正しく知ることができる。フィルタ室の蓋を半透明としたり、ハーフミラーとした場合には、通常はフィルタ室内部が良く見えないようにして，外観上の美観を向上させることができる。更に、蓋の内部に照明を設けた場合には、その照明を点灯することでフィルタ室のゴミ集積度をよく知ることができる。
　【０００９】
　本発明の上記ｂの構成を有する場合には、次の（イ）（ロ）（ハ）（ニ）の何れか，すなわち、（イ）手動スイッチで前期照明がＯＮ／ＯＦＦされる、（ロ）前記掃除機のファンモータのＯＮ及び／又はＯＦＦ時，予め定められた時間長だけ前記照明が点灯される、（ハ）前記掃除機のファンモータ作動中，又は前記掃除機の電源コードが電源に接続中に前記照明が点灯される、（ニ）前記照明はフィルタ外部又はフィルタ内部を照明する、の何れかの構成を有することが好適である。
　【００１０】
　【発明の実施の形態】
　次に，本発明の実施の形態について図を参照して説明する。図１は，本発明の掃除機の一の実施形態を示す図であり、図１Ａは正面図であり、ａ−ａより左の掃除口部は図１Ｂに示す平面図のａ−ａ線断面を示している。
　【００１１】
　図１Ａ，Ｂに示す掃除機は還流式掃除機である。１−１は吸込口、１−２はパワーブラシ、１−３は還流噴出口、１−４はブラシ駆動モータ、１−５，１−６は滑車で図示されないベルトにより連動される。１は此等を全体として集合した組立体であり、掃除口部である。２は主体で，内部にフィルタ２−１，ファンモータ２−２を有し，掃除口部１とは吸込気管３−１及び還流気管３−２で連結される。図示例では上下可動の結合構造とされており、３−１，３−２はゴム等の蛇腹構造体である。但し、３−３の部分は、必要に応じ還流空気温度を低下させるため、金属管とされ、冷却用の金属フィンを有する。４は主体２と掃除口部１とを上下可動に結合する板状結合体で４−１，４−２はヒンジ軸である．通常下方可動範囲を制限するため、下限では主体２に接する突起（図示されない）を結合体４のヒンジ軸４−２近傍に設ける。
　【００１２】
　図１において、６，７は主体２とハンドル８の結合部である。６は主体に接続され、７と傾動軸Ｙ２を共有し、７と８とが軸Ｙ２の廻りに上下に傾動される。又ハンドル８の下限位置（図示８Ｌ）で下限を形成する当たり６−１及び上限位置（図示８Ｕ）で上限を形成する当たり６−２が設けられており、且つ上限では必要に応じＵ字形のスプリング構造６−３を設けることができる。６−３はハンドル８がＵ字入口に接した時、更に押し込むことでＵ字の内部に入り、手を解放した時にスプリング作用によりハンドルが後方に戻ることを防ぐ。９−Ｒ，９−Ｌは前後方向走行用車輪である。
　【００１３】
　図１Ｂは主体２内のファンモータ２−２の回転軸が左右方向で、フィルタ２−１がその吸込側に設けられた例である。図２Ａはファンモータ２−２の回転軸が前後方向で、フィルタ２−１がその側方に設けられた例を示し、図２Ｂはファンモータ２−２の回転軸が上下方向で、フィルタ２‐１がその側方に設けられた例を示す。
　【００１４】
　図１Ｂ及び図２Ａではファンモータ２−２の図示しないファンが平形渦巻や、傘型渦巻の遠心型で、渦巻の中央から吸込み、回転する渦巻板の外周を越えて回転軸と同方向（軸流）に気流が吐出される。図２Ｂでは回転する渦巻板外周から接線方向（タンジェンシャル流）に気流が吐出される。図１Ｂ及び図２Ａ，Ｂの配列は軸流、タンジェンシャル流の何れも可であるが、吸込方向と吐出方向が使用し易いものを例示した。図２Ａ，Ｂの掃除機は図１Ｂの掃除機に比して主体の左右幅が短く、掃除口部左右幅よりも主体幅を十分小さくでき、回頭や、壁際掃除等で使用し易い利点がある。
　【００１５】
　次に、図２Ａ，Ｂを用いて本発明の掃除機のフィルタ室の実施形態について説明する。図２Ａ，Ｂにおいて、２０は主体２の外筺上面に設けられたフィルタ交換用の開閉又は取外し可能な蓋である。２−１はフィルタで、その吸込口である開口２２は上面の吸込気管３−１に近い部分に設けられている。従来の掃除機では、フィルタ満杯時に新フィルタに交換するためゴミで満杯になったフィルタを取り外すときに、フィルタの吸込口からゴミがこぼれる欠点があったが、本掃除機では、吸込口である開口２２がフィルタ２−１の上面に形成されているので吸込口からゴミがこぼれにく
く
　【００１６】
　２１は照明用電球（光源）であり、図示しない電源コードが電源コンセントにさしてある時は常時点灯するようにしてもよいし、ファンモータ２−２と共にＯＮ／ＯＦＦされてもよいし、ファンモータ２−２のＯＮ／ＯＦＦ毎に一定時間例えば１０秒間点灯するようにしてもよいし、使用者のスイッチによりＯＮ／ＯＦＦされてもよい。
　【００１７】
　蓋２０が透明な時はフィルタ２‐１の外観がよく見え、ゴミ集積度を目視することができる。蓋２０を半透明又はハーフミラーとすると、通常は内部のフィルタ２−１がよく見えないので、美観が向上する。そして、蓋の内部の光源２１を点灯することで内部のフィルタ２−１をよく見ることができるので、ゴミ集積度を知ることができる。
　【００１８】
　しかし、フィルタ２−１は常に内圧によりふくれているので、ゴミ集積により大きな外観変化を生じない場合がある。この場合はフィルタ２−１の外部から弱い弾性体でフィルタ２−１を押すように構成しておくと、ゴミ未集積部は凹むので、ゴミ集積度を判断できる。一般にゴミはフィルタ２‐１のファンモータ２−２に近い部分から集積し、だんだん進んで最後にフィルタ２−１の吸込口に達するからである。
　【００１９】
　又、フィルタ膜を透過して光源２１の光を見ることにより、フィルタ２−１内のゴミ集積度を知ることができる。図２Ａ，Ｂでは光源２１がフィルタ室側壁にあるが、光源２１をフィルタ２−１の底部側に移すと、その光はフィルタ膜を２回透過し、上から透明（半透明、ハーフミラー）の蓋２０を通して視認される。ゴミが集積すると光は透過してこない．底部に設けた光源２１が丁度、フィルタ開口２２の位置にあると、フィルタ膜は底側のみの透過となり、光損失がなく視認し易い。しかもフィルタ開口２２での状況が、フィルタ満杯最終時点に対応するのでフィルタ交換時点を正しく示す利点がある。
　【００２０】
　光源２１を蓋２０の開口２２の位置に設け、光源２１自体、又はその光導ガイドを開口２２を通してフィルタ内部につっこむと、フィルタ膜は和紙提灯の如く照明され、ゴミ集積部のみ光らない。このようにすると、ゴミ集積状況を正しく知ることができる。但し、開口２２よりの挿入はなるべくその縁辺を通し、大型ゴミの通過を妨げないようにする必要がある。
　【００２１】
　以上、本発明の実施の形態について、還流式掃除機を一例として説明してきたが、吸込式掃除機の場合は還流気管と還流噴出口を除去して、ファンモータの排気口を主体に設ければよく、本発明を容易に適用することができる。又、上記の実施の形態はクロール型（
図３
請求項２に係る発明は
図３
図３
図３
図３
図３
図３
【図面の簡単な説明】
　【図１】　本発明の掃除機の一つの実施形態を示す図で、Ａは掃除口部を切り欠き断面で示した正面図、Ｂは平面図。
　【図２】　本発明の掃除機のフィルタ室の実施形態を示す平面図。
　【図３】　従来の各種掃除機の例を示す斜視図又は正面図。
　【符号の説明】
　１‐‐掃除口部、２‐‐主体、２−１‐‐フィルタ、２−２‐‐ファンモータ、２０‐‐蓋、２１‐‐照明用電球（光源）、２２‐‐　吸込口（開口）